(57)【要約】【課題】携帯端末ではサイト１ページあたりのデータ量がキャリアによって制限されているため、商品等の対象物体を好きな角度から観察したり、拡大表示させることが困難であった。【解決手段】対象物体が連続的に撮影されて成る複数の大画像、及び該複数の各大画像と一対一に対応する複数のサムネイル画像を、各対象物体に関して予め用意してサーバの保存部に記憶させておく。サーバは携帯端末に対して複数のサムネイル画像を送信し、携帯端末では受信したサムネイル画像を所定の順序で切換表示することによって、対象物体を動的に表示させる。携帯端末側であるサムネイルを指定すると、そのサムネイル画像に対応する大画像がサーバから送信される。これにより、対象物体の詳細な画像をユーザの所望する角度や位置で表示させることが可能となる。【選択図】図１
2007312240.tif 000002
【特許請求の範囲】
【請求項１】
携帯端末とサーバとがネットワークを介して接続されて成り、携帯端末の表示画面に所定の対象物体を表示する大画像と小画像であるサムネイル画像とを表示するシステムにおいて、
前記サーバが、
対象物体が連続的に撮影されて成る複数の大画像、及び該複数の各大画像と一対一に対応する複数のサムネイル画像を、各対象物体に関して保存する画像記憶部と、
携帯端末からの所定の要求を受けて、前記サムネイル画像の全て又は一部を送信するサムネイル送信部と、
携帯端末からの所定の要求を受けて、所定のサムネイル画像に対応する大画像を該携帯端末に送信する大画像送信部と、を備え、
前記携帯端末が、
前記サーバから受信したサムネイル画像を表示画面の一部領域に設定されたサムネイル画像領域に表示するサムネイル表示部と、
前記サムネイル画像領域に表示されるサムネイル画像をユーザの求めに応じて又は自動的に所定の順序で切換表示することにより動的に表示させる動的表示部と、
前記サムネイル画像領域に切換表示されているサムネイル画像の一つを選択し、該サムネイル画像に対応する大画像を前記サーバに要求する大画像要求部と、
前記サーバから受信した前記大画像を、表示画面に表示させる大画像表示部と、
を備えることを特徴とする携帯端末動的画像表示システム。
【請求項２】
前記携帯端末が、更に、
前記サムネイル画像領域に表示されているサムネイル画像において予め定められた又はユーザによって指定された一部領域を特定し、該一部領域に対応する大画像を前記サーバに要求する拡大画像要求部を備え、
前記サーバが、更に、
携帯端末から受信した拡大画像要求を受けて、前記サムネイル画像の一部領域に対応する大画像を生成し、該大画像を該携帯端末に送信する拡大画像送信部を備える
ことを特徴とする請求項１に記載の携帯端末動的画像表示システム。
【請求項３】
前記携帯端末が、サムネイル画像領域を複数有していることを特徴とする請求項１又は２に記載の携帯端末動的画像表示システム。
【請求項４】
前記携帯端末が、ユーザの求めに応じて又は自動的にサムネイル画像領域に表示されているサムネイル画像を非表示とすることを特徴とする請求項１〜３のいずれかに記載の携帯端末動的画像表示システム。
【請求項５】
前記携帯端末が複数の表示画面を有しており、大画像の表示領域とサムネイル画像領域とが異なる表示画面上に設けられていることを特徴とする請求項１〜４のいずれかに記載の携帯端末動的画像表示システム。
【請求項６】
携帯端末とサーバとがネットワークを介して接続されて成り、携帯端末の表示画面に所定の対象物体を表示する大画像と小画像であるサムネイル画像とを表示するシステムにおいて、
前記サーバが、
対象物体が連続的に撮影されて成る複数の大画像、及び該複数の各大画像と一対一に対応する複数のサムネイル画像を、各対象物体に関して保存する画像記憶部と、
携帯端末から送信された大画像要求を受けて、該大画像要求において指定されるサムネイル画像を該サムネイル画像に対応する大画像上のサムネイル画像領域に重ね合わせることにより合成画像を生成し、該合成画像を前記携帯端末に送信する合成画像送信部と、
携帯端末から送信されたサムネイル動的表示要求を受けて、該サムネイル動的表示要求に基づく順序で複数のサムネイル画像を選択し、各サムネイル画像を一の大画像上のサムネイル画像領域に重ね合わせることによって異なる合成画像を連続的に作成し、該複数の合成画像を連続的に前記携帯端末に送信する動的画像送信部と、を備え、
前記携帯端末が、
サーバより受信する合成画像を表示画面に表示する合成画像表示部と、
合成画像のサムネイル画像領域に切換表示されているサムネイル画像の一つを選択し、該サムネイル画像に対応する大画像を前記サーバに要求する大画像要求部と、
合成画像のサムネイル画像領域に表示されているサムネイル画像を動的に表示させるサムネイル動的表示要求をユーザの求めに応じて又は自動的に前記サーバに対して送信するサムネイル動的表示要求部と、
を備えることを特徴とする携帯端末動的画像表示システム。
【請求項７】
請求項６に記載の携帯端末動的画像表示システムにおいて、前記合成画像表示部が、サーバから連続的に送信された合成画像における前後の差分箇所を検出し、表示画面において該差分箇所のみを描き換えることを特徴とする携帯端末動的画像表示システム。
【請求項８】
前記合成画像に複数のサムネイル画像領域が設定されており、前記サーバが、複数のサムネイル画像が同時に表示された合成画像を生成することを特徴とする請求項６又は７に記載の携帯端末動的画像表示システム。
【請求項９】
前記サーバが、ユーザの求めに応じて又は自動的に大画像のみから成る合成画像を生成することを特徴とする請求項６〜８のいずれかに記載の携帯端末動的画像表示システム。
【請求項１０】
前記サーバが、前記携帯端末から送信されたプログラム要求を受けて、該携帯端末に携帯端末用携帯端末動的画像表示プログラムを送信するプログラム配信部を更に備えることを特徴とする請求項１〜９のいずれかに記載の携帯端末動的画像表示システム。
【請求項１１】
前記サーバが、更に、
所定の携帯端末に関し、該携帯端末に送信した大画像の送信回数、拡大画像の生成領域、合成画像の送信回数、及び該携帯端末における大画像又は合成画像の表示時間を含む利用情報を算出して記憶する利用情報記憶部を備えることを特徴とする請求項１〜１０のいずれかに記載の携帯端末動的画像表示システム。
【請求項１２】
携帯端末とサーバとがネットワークを介して接続されて成り、サーバが対象物体が連続的に撮影されて成る複数の大画像、及び該複数の各大画像と一対一に対応したサムネイル画像を保存する画像記憶部を備えた携帯端末動的画像表示システムに利用するものであって、
前記サーバを
携帯端末からの所定の要求を受けて、前記サムネイル画像の全て又は一部を送信するサムネイル送信部と、
携帯端末からの所定の要求を受けて、所定のサムネイル画像に対応する大画像を該携帯端末に送信する画像送信部と、
して機能させるためのサーバ用携帯端末動的画像表示プログラム。
【請求項１３】
請求項１２に記載のサーバ用携帯端末動的画像表示プログラムにおいて、
前記サーバを更に、
携帯端末から受信した拡大画像要求を受けて、前記サムネイル画像の一部領域に対応する大画像を生成し、該大画像を該携帯端末に送信する拡大画像送信部
として機能させることを特徴とするサーバ用携帯端末動的画像表示プログラム。
【請求項１４】
携帯端末とサーバとがネットワークを介して接続されて成り、サーバが対象物体が連続的に撮影されて成る複数の大画像、及び該複数の各大画像と一対一に対応したサムネイル画像を保存する画像記憶部を備えた携帯端末動的画像表示システムに利用するものであって、
前記サーバを
携帯端末から送信された大画像要求を受けて、該大画像要求において指定されるサムネイル画像を該サムネイル画像に対応する大画像上のサムネイル画像領域に重ね合わせることにより合成画像を生成し、該合成画像を前記携帯端末に送信する合成画像送信部と、
携帯端末から送信されたサムネイル動的表示要求を受けて、該サムネイル動的表示要求に基づく順序で複数のサムネイル画像を選択し、各サムネイル画像を一の大画像上に重ね合わせることによって異なる合成画像を連続的に作成し、該複数の合成画像を連続的に前記携帯端末に送信する動的画像送信部と、
して機能させるためのサーバ用携帯端末動的画像表示プログラム。
【請求項１５】
請求項１２〜１４のいずれかに記載のサーバ用携帯端末動的画像表示プログラムにおいて、前記サーバを更に、前記携帯端末から送信されたプログラム要求を受けて、該携帯端末に携帯端末用携帯端末動的画像表示プログラムを送信するプログラム配信部として機能させるためのサーバ用携帯端末動的画像表示プログラム。
【請求項１６】
携帯端末とサーバとがネットワークを介して接続されて成る携帯端末動的画像表示システムに利用するものであって、請求項１２〜１５のいずれかに記載のサーバ用携帯端末動的画像表示プログラムを記録した、前記サーバによって読取可能な記録媒体。
【請求項１７】
携帯端末とサーバとがネットワークを介して接続されて成り、サーバが対象物体が連続的に撮影されて成る複数の大画像、及び該複数の各大画像と一対一に対応したサムネイル画像を保存する画像記憶部を備えた携帯端末動的画像表示システムに利用するものであって、
前記携帯端末を、
前記サーバから受信したサムネイル画像を携帯端末画面の一部領域に設定されたサムネイル画像領域に表示するサムネイル表示部と、
前記サムネイル画像領域に表示されるサムネイル画像をユーザの求めに応じて又は自動的に所定の順序で切換表示することにより動的に表示させる動的表示部と、
前記サムネイル画像領域に切換表示されているサムネイル画像の一つを選択し、該サムネイル画像に対応する大画像を前記サーバに要求する大画像要求部と、
前記サーバから受信した前記大画像を、表示画面に表示させる大画像表示部と、
して機能させるための携帯端末用携帯端末動的画像表示プログラム。
【請求項１８】
請求項１７に記載の携帯端末用携帯端末動的画像表示プログラムにおいて、
前記携帯端末を更に、
前記サムネイル画像領域に表示されているサムネイル画像において予め定められた又はユーザによって指定された一部領域を特定し、該一部領域に対応する大画像を前記サーバに要求する拡大画像要求部
として機能させるための携帯端末用携帯端末動的画像表示プログラム。
【発明の詳細な説明】
【技術分野】
【０００１】
本発明は、携帯電話等の携帯端末において、対象物体の画像を三次元的に動的表示させるためのシステムに関する。
【背景技術】
【０００２】
携帯電話やPHS(Personal Handy-phone System)等の携帯端末装置自体の性能が止まることなく向上し続けていること、及び、買い物、オークション、日記といった数多くの携帯端末向けサービスが提供されていることなどから、携帯端末から携帯端末用のサイト（ウエブサイト）にアクセスする利用者数は増加の一途をたどっている。
【０００３】
物品（商品）の紹介がされているサイト、特に商品の購入が可能ないわゆるショッピングサイトでは、利用者は携帯端末の画面上に表示される説明文を読んだり、画面に表示される画像を見ることによって商品のイメージを掴む。特に、写真画像はわかりやすく強い印象を与える。利用者が携帯端末の画面上に表示される商品の写真画像から良い印象を受ければ、購入に至る可能性が高まる。従って、表示画面にどのような画像が表示されるかによって商品の印象の良し悪しが決まるため、サイトの運営者からすれば、可能な限り魅力的な画像を用意しておく必要がある。
【０００４】
他方、利用者の立場からすれば、関心を抱いた商品を出来るだけ子細に見て、その特徴をよく知りたいという要望がある。とりわけ商品が立体的な形状を有している場合には、三次元的に様々な角度からその商品を眺めたり、ある箇所について詳しく見たいという要望がある。
【０００５】
上記のような要望に応えるため、コンピュータ用のサイトでは、ある物品についてその物品を見る角度や表示サイズ（画像の拡大縮小）をユーザが自由に変更することができる機能を提供しているものがある（例えば非特許文献１参照）。
【０００６】
【非特許文献１】「Hardware Gallery」、米国アップルコンピュータ社 (Apple Computer)、インターネット<http://www.apple.com/hardware/gallery/>、[平成１８年５月１９日検索]
【発明の開示】
【発明が解決しようとする課題】
【０００７】
しかし、コンピュータの場合とは異なり、携帯端末（携帯電話）では通常、リソースの制限などがあるため、ウェブページ１ページあたりのデータ量がキャリアによって制限されている。その最大データ量はキャリアによって制限値は若干異なるものの、5kb程度以内である。このため、携帯端末で画像を表示させる場合には前記最大データ量を超えないように、通常は１ページにつき１枚のみ、若しくはせいぜい数枚の静止画像を表示させるしかなかった。また、画像を拡大しようとすると画像が粗くなってしまい、商品の詳細を見ることができなかった。すなわち、画像を効果的に用いることによって利用者に商品をアピールするということは事実上できないものとされていたのである。
【０００８】
本発明は以上のような問題に鑑みてなされたものであり、１ページあたりのデータ量に限界が設けられている携帯端末において、対象となる物体の画像を三次元的・動的に表示させることを可能とするものである。
【課題を解決するための手段】
【０００９】
上記課題を解決するために成された本発明に係る携帯端末動的画像表示システムの第一の形態は、
携帯端末とサーバとがネットワークを介して接続されて成り、携帯端末の表示画面に所定の対象物体を表示する大画像と小画像であるサムネイル画像とを表示するシステムにおいて、
前記サーバが、
対象物体が連続的に撮影されて成る複数の大画像、及び該複数の各大画像と一対一に対応する複数のサムネイル画像を、各対象物体に関して保存する画像記憶部と、
携帯端末からの所定の要求を受けて、前記サムネイル画像の全て又は一部を送信するサムネイル送信部と、
携帯端末からの所定の要求を受けて、所定のサムネイル画像に対応する大画像を該携帯端末に送信する大画像送信部と、を備え、
前記携帯端末が、
前記サーバから受信したサムネイル画像を表示画面の一部領域に設定されたサムネイル画像領域に表示するサムネイル表示部と、
前記サムネイル画像領域に表示されるサムネイル画像をユーザの求めに応じて又は自動的に所定の順序で切換表示することにより動的に表示させる動的表示部と、
前記サムネイル画像領域に切換表示されているサムネイル画像の一つを選択し、該サムネイル画像に対応する大画像を前記サーバに要求する大画像要求部と、
前記サーバから受信した前記大画像を、表示画面に表示させる大画像表示部と、
を備えることを特徴とする。
【００１０】
本発明に係る携帯端末動的画像表示システムは好ましくは、上記のシステムにおいて、
前記携帯端末が、更に、
前記サムネイル画像領域に表示されているサムネイル画像において予め定められた又はユーザによって指定された一部領域を特定し、該一部領域に対応する大画像を前記サーバに要求する拡大画像要求部を備え、
前記サーバが、更に、
携帯端末から受信した拡大画像要求を受けて、前記サムネイル画像の一部領域に対応する大画像を生成し、該大画像を該携帯端末に送信する拡大画像送信部を備える
ことを特徴とすることができる。
【００１１】
また、本発明に係る携帯端末動的画像表示システムの第二の形態は、
携帯端末とサーバとがネットワークを介して接続されて成り、携帯端末の表示画面に所定の対象物体を表示する大画像と小画像であるサムネイル画像とを表示するシステムにおいて、
前記サーバが、
対象物体が連続的に撮影されて成る複数の大画像、及び該複数の各大画像と一対一に対応する複数のサムネイル画像を、各対象物体に関して保存する画像記憶部と、
携帯端末から送信された大画像要求を受けて、該大画像要求において指定されるサムネイル画像を該サムネイル画像に対応する大画像上のサムネイル画像領域に重ね合わせることにより合成画像を生成し、該合成画像を前記携帯端末に送信する合成画像送信部と、
携帯端末から送信されたサムネイル動的表示要求を受けて、該サムネイル動的表示要求に基づく順序で複数のサムネイル画像を選択し、各サムネイル画像を一の大画像上のサムネイル画像領域に重ね合わせることによって異なる合成画像を連続的に作成し、該複数の合成画像を連続的に前記携帯端末に送信する動的画像送信部と、を備え、
前記携帯端末が、
サーバより受信する合成画像を表示画面に表示する合成画像表示部と、
合成画像のサムネイル画像領域に切換表示されているサムネイル画像の一つを選択し、該サムネイル画像に対応する大画像を前記サーバに要求する大画像要求部と、
合成画像のサムネイル画像領域に表示されているサムネイル画像を動的に表示させるサムネイル動的表示要求をユーザの求めに応じて又は自動的に前記サーバに対して送信するサムネイル動的表示要求部と、
を備えることを特徴とすることができる。
【発明の効果】
【００１２】
本発明に係る携帯端末動的画像表示システムによれば、携帯端末において簡便に、対象物体を好きな角度から高解像度で見ることができるようになる。よって、携帯端末の利用者は、対象物体の詳細を高解像度画像によって知ることができる。また、サイトの運営者にとっては、対象物体に関する携帯端末利用者の関心を高めることができるようになる。
【００１３】
本発明のシステムは構成が複雑ではなく特殊なプラグインも必要ないため、携帯端末の種類やキャリアにかかわらず実行することが可能である。
【００１４】
また、本発明の携帯端末動的画像表示システムにおいて、携帯端末が拡大画像要求部を備え、サーバが拡大画像送信部を備えた構成とすることにより、所望の角度から撮影された高解像度画像を表示させるだけでなく、ある箇所の拡大画像を表示させることができるようになる。よって、利用者は簡単な操作で自由に関心のある箇所の詳細を見て知ることができる。
【発明を実施するための最良の形態】
【００１５】
以下、図を参照しつつ本発明に係る携帯端末動的画像表示システム（第一形態）の詳細について説明する。本発明の携帯端末動的画像表示システムは、携帯端末１０の表示画面に対象物体に関する大画像と小画像であるサムネイル画像とを表示し、このうちサムネイル画像のみを動的（回転、平行移動、拡大縮小等）表示させ、ユーザが詳細な拡大画像を見たいと望む一のサムネイル画像に対応する大画像を表示画面に表示するためのウェブページやウェブサービスのシステムである。なお、「動的表示」とは、一の表示領域内において、対象物体に関する複数枚の画像を所定の順序で切り換え表示することによって、ユーザに、あたかも対象物体が動いている（回転移動、平行移動）かのように視認させるということである。
【００１６】
図１は、本発明の携帯端末動的画像表示システムの構成を示す図である。サーバ１と携帯端末１０とが無線通信回線によってデータ通信可能に接続されている。ただし、通常はサーバ１と携帯端末１０とが直接接続されることはない。一般的にはサーバ１はインターネットに接続されている（つまり、サーバ１はインターネットを介してアクセス可能）のみである。一方、携帯端末１０は、まずキャリアのサーバ（図示せず）と無線回線によって接続されており、キャリアのサーバを介することによってサーバ１と接続される。ただし、本発明においてはサーバ１と携帯端末１０とがいかなる接続形態で接続されていても構わないものとする。
【００１７】
まず、サーバ１について説明する。サーバ１は、ＣＰＵ２、メモリ３、及びハードディスクなどの記憶部４などが相互に接続されて成るwebサーバである。記憶部４は磁気記録媒体のほか、光学記録媒体、半導体メモリなどから構成されていても構わない。サーバ１には、キーボードやマウスなどの入力手段（図示せず）のほか、ディスプレイ（図示せず）が接続されていてもよい。また、サーバ１はインターネット等のデータ通信ネットワークを介してデータ通信を行うためのデータ通信部（図示せず）を備えている。
【００１８】
サーバ１の記憶部４には、ＯＳ（Operating System）４ａ、サーバ用携帯端末動的画像表示プログラムｐｇ１、携帯端末用携帯端末動的画像表示プログラムｐｇ２が保存されている。さらに、記憶部４には画像記憶部４ｃが設けられている。
記憶部４には通常、ウェブページ用のデータである図示せぬHTML（HyperText Markup Language）ファイル、CHTML（Compact HTML）ファイル又はXHTML（Extensible HTML）ファイルや、CSS（Cascading Style Sheets）ファイル、ウェブページ用の画像データ（大画像及びサムネイル画像を除く）も保存されているが、これらは本発明のシステムに必須の構成ではない。
【００１９】
また、図１に示されているように、サーバ１はプログラム配信部５、サムネイル送信部６及び大画像送信部７を備えているが、これらは、ＣＰＵ２がサーバ用携帯端末動的画像表示プログラムｐｇ１を実行することによってソフトウェア的に実現される機能である。これらプログラム配信部５、サムネイル送信部６、大画像送信部７についての詳細は後述する。
なお、本発明のシステムにおいてサーバ１は通常、サーバ用携帯端末動的画像表示プログラムｐｇ１を常時実行しているが、所定の命令を受けることによってプログラムｐｇ２が実行される構成であってももちろん構わない。
【００２０】
画像記憶部４ｃについて説明する。画像記憶部４ｃには、予め対象物体（通常は商品）が連続的に撮影された写真画像の画像データである大画像が複数枚保存されている。画像記憶部４ｃに記憶されている大画像の画像サイズは、携帯端末１０の表示画面に表示される画像サイズであれば最低限よいが、サーバ１が大画像の一部の拡大画像を送信するための拡大画像送信部を備えた構成とする場合には、画像記憶部４ｃに記憶される大画像の画像サイズは携帯端末１０に表示されるものよりも大きいことが望ましい（詳細は後述）。
【００２１】
画像記憶部４ｃには、複数枚ある各大画像（本例ではｐ１、ｐ２、ｐ３、ｐ４）に一対一に対応する縮小画像であるサムネイル画像が保存されている（本例ではｔ１、ｔ２、ｔ３、ｔ４）。図１では、対象物体がマグカップである例が示されている。ここでは簡単のために、大画像（及びサムネイル画像）がマグカップの周囲の四方向から撮影された（つまり撮影角度を90度ずつ変化させながら撮影された）ものとするが、携帯端末の画面でより滑らかな動的表示を実現するためには、撮影画像の回転角度の変化が小さいことが望ましい。また、大画像は図１に示されているような、対象物体の側面部分を撮影したものに限らず、底面や上面を含めて三次元的に撮影されたものとすることもできる。なお、大画像及びサムネイル画像は対象物体の周囲を回転しながら撮影された回転画像に限定されることはなく、例えば対象物体に対して平行移動しつつ撮影された画像であってもよい。
【００２２】
画像記憶部４ｃには、複数の対象物体に関して（すなわち、図１の例で言えばマグカップ以外の対象物体に関しても）大画像及びサムネイル画像が保存されていてもよい。
また、本発明のシステムでは複数のサムネイル画像を連続的に切換表示することによって対象物体を動的表示させる。そこで画像記憶部４ｃに保存されている各サムネイル画像には、撮影位置が隣同士のサムネイル画像を識別するための動的表示用データが予め付与されている。この動的表示用データはどのようなものでもよいが、下に挙げる動的表示用データ例の表のように、各サムネイル画像に、正方向回転側（例えば反時計回り方向側）のサムネイル画像、及び逆方向回転側（例えば時計回り方向側）のサムネイル画像を示しておくこともできる。
【００２３】
（動的表示用データ例）
サムネイル画像ｔ１：（正方向）ｔ４、（逆方向）ｔ２
サムネイル画像ｔ２：（正方向）ｔ１、（逆方向）ｔ３
サムネイル画像ｔ３：（正方向）ｔ２、（逆方向）ｔ４
サムネイル画像ｔ４：（正方向）ｔ３、（逆方向）ｔ１
【００２４】
動的表示用データは、上記のように各サムネイル画像に付与されたものではなく、連続して表示するサムネイル画像の順序を特定するための演算式であってもよい。この場合は、全てのサムネイル画像に動的表示用データである演算式を付与してもよいが、サーバ１が複数枚のサムネイル画像を送信するときに、一度だけその演算式を携帯端末１０に対して送信してもよい。
【００２５】
次に、携帯端末１０について説明する。本発明の携帯端末動的画像表示システムにおいて携帯端末１０は通常、無線データ通信機能を備える携帯電話である。また、携帯電話に限らず、無線データ通信機能を備えた各種の小型携帯端末を使用することも可能である。
【００２６】
携帯端末１０は、端末ＣＰＵ１２、端末メモリ１３、端末記憶部１４などが相互に接続された構成を備えている。また、ボタンやキーボード等で構成される入力部１９、表示画面２０を有している。さらに、携帯端末１０はデータ通信機能（図示せず）を有している。
端末記憶部１４には、携帯端末用のＯＳである端末ＯＳ１４ａや、携帯端末１０用の携帯端末動的画像表示プログラムｐｇ２が保存されている。なお、詳細は後述するが、携帯端末１０の端末記憶部１４に携帯端末用携帯端末動的画像表示プログラムｐｇ２が保存されていない場合には、サーバ１からダウンロードすることができる。
また、端末記憶部１４には携帯端末用のウェブページを表示するためのブラウザアプリケーションも記憶されている（図示せず）。
図１では端末記憶部１４と端末メモリ１３とは別個の構成として描かれているが、端末メモリ１３内に端末記憶部１４が設けられていてももちろん構わない。
【００２７】
携帯端末１０はさらに、サムネイル表示部１５、動的表示部１６、大画像要求部１７、及び大画像表示部１８を備えているが、これらは端末ＣＰＵ１２が携帯端末用携帯端末動的画像表示プログラムｐｇ２を実行することによってソフトウェア的に実現される機能である。
【００２８】
以下、図２のフローチャートを参照しつつ、本発明に係る携帯端末動的画像表示システムによって携帯端末１０においてサムネイル画像を動的に表示させ、サムネイル画像に対応する大画像を表示させる処理の例について説明する。
【００２９】
ユーザがまず、携帯端末１０の入力部１９を操作し、表示画面２０に表示されている所定のウェブページ上に表示されているメニューから、ある対象物体に関する動的画像表示用ページの表示を要求する操作を行う（ハイパーリンクが付された文字列をクリックする等）と、携帯端末１０は端末記憶部１４に携帯端末用携帯端末動的画像表示プログラムｐｇ２が保存されているか否かを確認する（ステップＳ１１）。保存されていない場合（ステップＳ１１のNo）、携帯端末１０の端末ＣＰＵ１２は、ステップＳ１２において、サーバ１に対して携帯端末用携帯端末動的画像表示プログラムｐｇ２を要求するプログラム要求命令を送信する。このプログラム要求命令を受信したサーバ１（プログラム配信部５）は携帯端末１０に対して携帯端末用携帯端末動的画像表示プログラムｐｇ２を送信する（ステップＳ２１）。そして、携帯端末１０の端末ＣＰＵ１２は受信したプログラムｐｇ２を端末記憶部１４に保存し、それを実行する。
このステップＳ１１において行う、プログラムｐｇ２を有しているか否かのチェック及びサーバ１へのプログラム要求命令の送信は通常、ウェブページ表示用のHTML内に記述されたチェック命令を端末ＣＰＵ１２が実行することにより行われる。
端末記憶部１４に携帯端末用携帯端末動的画像表示プログラムｐｇ２が既に保存されている場合（ステップＳ１１のYes）には、携帯端末１０の端末ＣＰＵ１２は受信したプログラムｐｇ２を実行する。
【００３０】
次に、携帯端末１０はサーバ１に対して動的画像表示用ページ閲覧要求を送信する（ステップＳ１３）。この動的画像表示用ページ閲覧要求には、対象物体を指定するための情報も含まれている。本例では、対象物体としてマグカップが指定されているものとする。
【００３１】
動的画像表示用ページ閲覧要求を受けたサーバ１のＣＰＵ２（サムネイル送信部６）は画像記憶部４ｃにアクセスして、マグカップに関する複数のサムネイル画像（ｔ１、ｔ２、ｔ３、ｔ４）を携帯端末１０に対して送信する（ステップＳ２２）。このとき、サーバ１はマグカップに関して保存されているサムネイル画像の全てを送信する必要はなく、一部のサムネイル画像のみを送信してもよい。また、１枚のみを送信する設定としても構わない。
【００３２】
前記ステップＳ２２においてサーバ１が送信したサムネイル画像が複数枚ある場合には、端末ＣＰＵ１２は、受信した複数枚のサムネイル画像を端末メモリ１３に格納し、ステップＳ１４にて、複数枚のサムネイル画像のうち、特定の１枚のみ（例えば最初に受信したサムネイル画像や、初期表示として予め定められたサムネイル画像）をサムネイル画像領域２１に（静的に）表示する（サムネイル表示部１５）。
又は、動的画像表示用ページ閲覧要求後にサムネイル画像領域においてサムネイル画像を動的に表示させることが予め設定されている場合には、端末ＣＰＵ１２（動的表示部１６）は前記ステップＳ２２にてサーバ１から送信された複数枚のサムネイル画像を端末メモリ１３に格納しつつ、又は全て格納した後に、動的表示用データを参照して、ユーザの求めに応じて又は自動的に所定の順序で（動的表示用データに基づき）切換表示する（ステップＳ１５）。
【００３３】
ここで、動的表示部１６が行うサムネイル画像の切換表示処理について説明する。いま、サムネイル画像領域にサムネイル画像ｔ２が表示されているときに、サムネイル画像を正方向（例：反時計回り方向）に動的表示させることを要求する回転指示がユーザにより入力部から与えられた（例：ユーザが右矢印キーを押す）ものとする。これを受けた動的表示部１６は現在サムネイル画像領域に表示しているサムネイル画像ｔ２の動的表示用データを参照する。ここでは、上述した動的表示用データの例に基づき説明する。これによると、サムネイル画像ｔ２の正方向回転側のサムネイル画像はサムネイル画像ｔ１であるから、動的表示部１６はサムネイル画像ｔ２の次にサムネイル画像ｔ１をサムネイル画像領域に表示する。次に、サムネイル画像ｔ１の動的表示用データには正方向回転側のサムネイル画像がサムネイル画像ｔ４であることが示されているから、動的表示部１６は、サムネイル画像ｔ４をサムネイル画像領域に表示する。このようにして、端末ＣＰＵ２はサムネイル画像をｔ２→ｔ１→ｔ４→ｔ３→ｔ２→…という順番で連続的に切換表示する。なお、切換表示の時間間隔は、予め適切な値が設定されているものとする。これにより、ユーザにはマグカップが反時計回り方向（右方向）に回転しているように視認される（図３(a)）。
ユーザが左矢印キーを押した場合には、動的表示用データの逆方向の情報に基づき、サムネイル画像をｔ２→ｔ３→ｔ４→ｔ１→ｔ２→…という順序で表示する。これによって、ユーザにはマグカップが時計回り方向（左方向）に回転しているように視認される。
ユーザが入力部１９の矢印キーを押すことを止めた時、すなわち回転指示を止めた時には画像の切換を中断する。もちろん、ユーザが矢印キーを一度押すと画像切換を開始し、回転中止用として割り当てられている所定のキーが押されたりユーザが画面上で回転中止のコマンドを選択したりすること等によって回転中止指示が与えられるまでサムネイル画像の切換表示を続けるようにしても構わない。
また、ユーザによる回転指示が無くても、前もってなされた設定に基づき、自動的に正方向又は逆方向の順序に切換表示してもよい。
【００３４】
なお、ここでは正方向回転及び逆方向回転の２方向のみに動的表示する例を述べているが、上下回転方向、平行移動、拡大、縮小などの各種の動的表示を行うようにしてもよい。この、動的表示の方法は、画像記憶部に保存されているサムネイル画像の種類、及び該サムネイル画像に関して予め設定されている動的表示用データに依存する。
【００３５】
前記ステップＳ２２においてサーバ１が送信するサムネイル画像が１枚のみであって、携帯端末１０の端末ＣＰＵ１２がサムネイル画像領域２１にそのサムネイル画像のみを表示する構成とすることもできる。この場合には、ユーザが入力部１９によって回転指示を与えると、端末ＣＰＵ１２はサーバ１に対してその回転指示に基づいてサムネイル画像回転要求を送信する。サーバ１ではそのサムネイル画像回転要求を受信すると、複数のサムネイル画像を所定の順序で携帯端末１０に対して送信する。例えばサムネイル表示部にサムネイル画像ｔ１が表示されている状態で左矢印キーが押された場合には、サーバ１は動的表示用データを参照し、送信すべきサムネイル画像の順序がサムネイル画像ｔ２、ｔ３、ｔ４であることを算出して、これらのサムネイル画像を順に携帯端末１０に対して送信する。
携帯端末１０の端末ＣＰＵ１２は、動的表示用データを参照することにより、受信した複数のサムネイル画像の表示順序を算出する。本例ではサムネイル画像ｔ２→ｔ３→ｔ４→ｔ１→…の順に切換表示することによってサムネイルの動的表示を行う。
【００３６】
また、先に述べたように、携帯端末では、メモリ（端末メモリ１３）の容量を十分に確保することができない場合や困難な場合がある。また、キャリアによって定められているデータ通信上の制限もある。（上記の例ではサムネイル画像が４個としているが、より滑らかな動的表示を行いたい場合や多くの方向に動的表示可能とする場合には、必要なサムネイル画像の枚数は格段に増加する。）そこで、サーバ１は次々と携帯端末１０に対してサムネイル画像を送信（ｔ２、ｔ３、ｔ４、ｔ１、ｔ２、…）し、一方、携帯端末１０では受信したサムネイル画像を次々とサムネイル画像領域２１に表示する（ステップＳ１５）という構成としてもよい。この場合、携帯端末１０では、サーバ１から送信されてくる複数のサムネイル画像の一部のみを端末メモリ１３に格納（一時プール）してもよいし、全く端末メモリ１３に格納することなくサムネイル画像を表示してもよい。
【００３７】
次に、大画像を要求する場合の処理について、図３を参照しつつ説明する。図３（a）に描かれているように、表示画面２０においてサムネイル画像が切換表示されている状態のとき、または切換表示されておらず一枚のサムネイル画像のみが静止表示されている状態のとき、ユーザが入力部１９において予め大画像要求用として割り当てられているボタンを押すと、携帯端末１０の端末ＣＰＵ１２（大画像要求部１７）は、その時点でサムネイル画像領域２１に表示されているサムネイル画像に対応する大画像を要求する命令である大画像要求をサーバ１に対して送信する（ステップＳ１６）。この大画像要求にはパラメータとして、サムネイル画像の識別子（例えば“ｔ１”）が含まれる。
【００３８】
大画像要求を受信したサーバ１のＣＰＵ２（大画像送信部７）は、サムネイル画像の識別子「ｔ１」に基づき、画像記憶部４ｃからこのサムネイル画像に対応する大画像「ｐ１」を読み出し、その大画像を携帯端末１０に対して送信する（ステップＳ２３）。
【００３９】
次に、携帯端末１０の端末ＣＰＵ１２（大画像表示部１８）は、上記ステップＳ２３においてサーバから送信された大画像を受信すると、図３(b)に示すように、その大画像を表示画面２０に表示する（ステップＳ１７）。
【００４０】
次にステップＳ１８において、入力部１９から終了の指示が与えられると（yes）、携帯端末１０のＣＰＵ２は携帯端末用の携帯端末動的画像表示プログラムｐｇ２を終了するとともに、サーバ１に対してセッション終了の指示を送信し、サーバ１はサーバ用携帯端末動的画像表示プログラムｐｇ１を待機状態とする。ステップＳ１８において入力部１９から終了の指示が与えられない場合や、続行の指示が与えられた場合（no）には、ステップＳ１５（またはステップＳ１４）に戻る。
【００４１】
以上のようにして、本発明に係る携帯端末動的画像表示システムでは、携帯端末において、対象物体に関してユーザが所望する角度や位置からの視点で、拡大画像である大画像を表示させることが可能となる。
【００４２】
本発明の携帯端末動的画像表示システムの他の好ましい構成として、携帯端末１０がソフトウェア的に構成される拡大画像要求部を更に備え、サーバ１が同じくソフトウェア的に構成される拡大画像送信部を更に備えた形態がある。以下、この構成により携帯端末１０の表示画面に拡大画像を表示させる処理について図４を参照しつつ説明する。
【００４３】
携帯端末１０のサムネイル画像領域２１に一のサムネイル画像が表示されている状態においてユーザが入力部１９を操作する（例えば拡大画像範囲指示用として割り当てられている所定のボタンを押す）ことによって拡大画像範囲指定開始指示を入力すると、端末ＣＰＵ１２は、サムネイル画像領域２１内に、サムネイル画像領域２１の一部領域である範囲指定領域２２を表示する（図４(a)）。範囲指定領域２２は、例えば横15ピクセル×縦15ピクセルという様に予め定められたサイズの画像指定領域である。ユーザが入力部１９を操作することによって、サムネイル画像領域内で範囲指定領域２２の指定箇所を変更することができる。また、範囲指定領域２２のサイズや位置をユーザが自由に指定可能な構成としてもよい。この場合、例えばユーザが入力部１９を操作して始点（画素）及び終点を指定することによって範囲指定領域２２が決定される。
【００４４】
次いで、ユーザが入力部１９を操作する（例えば拡大画像要求ボタン用として割り当てられているボタンを押す）と、携帯端末１０はサーバ１に対して、拡大画像要求を送信する。この拡大画像要求には、サムネイル画像の識別子（例えば“ｔ１”）及び範囲指定領域２２の指定範囲がパラメータとして含まれている。
【００４５】
サーバ１のＣＰＵ２（拡大画像送信部）は、携帯端末１０から送信された拡大画像要求を受信すると、サムネイル画像の識別子と指定範囲とを読み取り、画像記憶部４ｃからそのサムネイル画像に対応する大画像（本例では大画像４ｐ）を読み出すとともに、大画像４ｐにおいて、指定範囲に対応する部分を拡大することによって、拡大画像である大画像を生成する。次いでこの大画像を携帯端末１０に送信する。携帯端末１０では、受信した拡大画像を表示画面２０に表示する（図４(b)）。
【００４６】
拡大画像を生成する際に、もとの大画像の解像度が低いと、ＣＰＵ２が画像処理を行った結果得られる拡大画像が不鮮明になってしまうおそれがある。この問題を解決するためには、予め画像記憶部４ｃに保存しておく大画像のサイズを大きめにしておくとよい。これによって、拡大画像を生成する時にＣＰＵ２が行う画像処理が基本的には画像の切り抜きや縮小となるため、生成される拡大画像が鮮明となる（不鮮明となりにくい）。ただし、この場合には、サーバ１の大画像送信部７が携帯端末１０に対して大画像を送信する際に、大画像のサイズを調整（縮小）する。または、携帯端末１０の表示画面２０に表示するための大画像の他に、大画像よりも画像サイズの大きな画像である拡大用画像を画像記憶部４ｃに保存しておき、携帯端末１０から拡大画像要求を受けると、ＣＰＵ２が拡大用画像を加工することによって大画像を生成するようにしてもよい。
【００４７】
以上、本発明に係る携帯端末動的画像表示システムの実施形態について例を挙げつつ説明を行ったが、これらは例に過ぎず、適宜に変形や改良が可能である。具体的な変形例を以下に挙げる。
【００４８】
＜変形例１＞
表示画面２０において複数のサムネイル画像領域２１を設ける。これによって、図５(a)に示すように、複数の対象物体のサムネイル画像を一度に表示することが可能となり、操作性が向上する。図５に示す例では、サムネイル画像領域２１ａにマグカップ、２１ｂに腕時計、２１ｃにスタンドライトのサムネイル画像がそれぞれ表示されている。
【００４９】
この構成の場合、大画像に重なる表示位置にサムネイル画像領域を設けると大画像が見づらくなる場合がある。そこで、例えば図５(a)に示すように大画像を表示する領域と、サムネイル画像を表示する領域とを分けるとよい。
【００５０】
図５(a)の例では、マグカップ、腕時計、スタンドライトの画像の何れも、画像切換表示が行われることなく静止しているが、ユーザが入力部１９を操作することによってあるサムネイル画像領域を選択すると、選択されたサムネイル画像領域に関してのみ、サムネイル画像が連続切換表示される構成とすることができる。または、複数や全てのサムネイル画像領域に表示されるサムネイル画像が連続切換表示されることによって、表示されている全ての対象物体が動的表示されるようにしてもよい。
【００５１】
＜変形例２＞
携帯端末１０が２個以上の表示画面２０を有している場合には、大画像を表示する領域と、サムネイル画像を表示する領域とを、各表示画面に割り当てることもできる。図５(b)では、２個の表示画面２０ａと２０ｂを有する携帯端末１０の例が示されており、表示画面２０ａには大画像を表示し、２０ｂにはサムネイル画像領域を割り当てている。なお、図５(b)では三つのサムネイル画像領域が描かれているが、サムネイル画像領域の数は特に制限されるものではない。
【００５２】
＜変形例３＞
表示画面２０に大画像及びサムネイル画像が表示されている状態（図６(a)）において、入力部１９において所定の操作が行われると、端末ＣＰＵ１２がサムネイル画像領域に表示されているサムネイル画像を非表示とする（図６(b)）。この構成により、大画像の表示領域をより広くすることができる。また、大画像に重ねてサムネイル画像領域が設けられている場合には、サムネイル画像が大画像の一部の表示箇所を遮ってしまうという問題を解決することができる。
なお、入力部１９からの指示を待つことなく、端末ＣＰＵ１２が自動的にサムネイル画像を非表示とする構成としてもよい。
【００５３】
＜第二形態＞
次に、本発明に係る携帯端末動的画像表示システムの第二の形態について、図７を参照しつつ説明する。本形態の基本的構成は記述した第一形態と同一であるが、サーバ１においてソフトウェア的に実現される機能が異なっている。即ち、本構成のサーバ１は特徴的な機能として合成画像送信部３１及び動的画像送信部３２を備える。また、携帯端末１０では、ソフトウェア的に実現される特徴的な機能として、合成画像表示部４１及びサムネイル動的表示要求部４２を備えている。
【００５４】
本構成である第二形態と、既述した第一形態とでは、携帯端末１０の表示画面に表示される画面は同じとなるが、本構成は、サムネイル画像を切換表示する処理を携帯端末１０の端末ＣＰＵ１２が行う（第一形態）のではなく、サーバ１側でＣＰＵ２が大画像の一部領域にサムネイル画像が表示された合成画像を生成し、その合成画像を携帯端末１０に送信し、一方の携帯端末１０は合成画像を連続的に次々と表示するという点に特徴を有している。
【００５５】
以下、図８に示すフローチャートを参照しつつ、本発明に係る携帯端末動的画像表示システムの第二の形態によって、携帯端末１０においてサムネイル画像を動的に表示させ、サムネイル画像に対応する大画像を表示させる処理の例について説明する。この処理はサーバ１のＣＰＵ２がサーバ用携帯端末動的画像表示プログラムｐｇ１を実行することによって、また、携帯端末１０のＣＰＵ２が携帯端末用の携帯端末動的画像表示プログラムｐｇ２を実行することによって行われる処理である。
【００５６】
ユーザが携帯端末１０の入力部１９を操作し、表示画面２０に表示されている所定のウェブページ上のメニューから、ある対象物体に関する動的画像表示用ページを選択する操作を行うと、携帯端末１０は端末記憶部１４に携帯端末用携帯端末動的画像表示プログラムｐｇ２が保存されているかどうかを確認する（ステップＳ３１）。保存されていない場合（ステップＳ３１のNo）、携帯端末１０の端末ＣＰＵ１２は、ステップＳ３２において、サーバ１に対して携帯端末用携帯端末動的画像表示プログラムｐｇ２を要求するプログラム要求命令を送信する。このプログラム要求命令を受信したサーバ１（プログラム配信部５は携帯端末１０に対して携帯端末用携帯端末動的画像表示プログラムｐｇ２を送信する（ステップＳ４１）。そして、携帯端末１０の端末ＣＰＵ１２は受信したプログラムｐｇ２を端末記憶部１４に保存し、それを実行する。
【００５７】
次に、携帯端末１０はサーバ１に対して動的画像表示用ページ閲覧要求を送信する（ステップＳ３３）。この動的画像表示用ページ閲覧要求には、対象物体を指定するための情報も含まれる。
【００５８】
動的画像表示用ページ閲覧要求を受けたサーバ１のＣＰＵ２（合成画像送信部３１）はステップＳ４２において、画像記憶部４ｃにアクセスして、動的画像表示用ページ閲覧要求に含まれている情報情報において指定されている対象物体に関する複数のサムネイル画像を読み出し、合成画像を生成する。合成画像は、携帯端末１０の表示画面２０に表示される大画像と同一のサイズを有している画像であって、その大画像の一部にサムネイル画像領域が設定されており、サムネイル画像領域に所定のサムネイル画像が表示された画像のことである。なお、このステップＳ４２においては、合成画像の背景（すなわちサムネイル画像領域以外の領域）は合成画像において大画像が表示されている必要は特にない。
ＣＰＵ２は、このようにして生成した合成画像を携帯端末１０に対して送信する。
【００５９】
携帯端末１０では、サーバ１から送信されてきた合成画像を、表示画面に表示する（ステップＳ３４）。
【００６０】
ユーザが携帯端末１０の入力部１９を操作することにより（例えば右矢印キーを押すことにより）、携帯端末１０に対してサムネイル動的表示要求を入力すると、携帯端末１０はサムネイル動的表示要求をサーバ１に対して送信する（ステップＳ３５）。このサムネイル動的表示要求には通常、パラメータとして対象物体の種類やサムネイル画像の識別子といった動的表示用データが含まれている。
【００６１】
サーバ１ではサムネイル動的表示要求を受信すると、そのサムネイル動的表示要求に含まれる動的表示用データを参照して、適切な対象物体に関するサムネイル画像を、動的表示用データに基づく適切な順序で画像記憶部４ｃより読み出し、次々と合成画像を生成し、生成した合成画像を次々と携帯端末１０に対して送信する（ステップＳ４３）。
【００６２】
携帯端末１０では、受信した合成画像を連続的に次々と表示画面２０に表示する（ステップＳ３６）。これにより、携帯端末１０の表示画面２０において、対象物体が動的に表示される。
【００６３】
ユーザが入力部１９を操作することにより、携帯端末１０がサーバ１に対して大画像要求を送信すると（ステップＳ３７）、サーバ１のＣＰＵ２は大画像要求に含まれるサムネイル画像の識別子に対応する大画像を画像記憶部４ｃから読み出し、その大画像を含む合成画像を生成して、携帯端末１０に送信する（ステップＳ４４）。携帯端末１０の端末ＣＰＵ１２は、受信した合成画像を表示画面２０に表示する（ステップＳ３８）。これによって、携帯端末１０の表示画面２０において、ユーザの見たい角度や位置で撮影されたサムネイル画像に対応する大画像が表示される。
【００６４】
次にステップＳ３９において、入力部１９から終了の指示が与えられると（yes）、携帯端末１０のＣＰＵ２は携帯端末用の携帯端末動的画像表示プログラムｐｇ２を終了するとともに、サーバ１に対してセッション終了の指示を送信し、サーバ１はサーバ用携帯端末動的画像表示プログラムｐｇ１を待機状態とする。ステップＳ３９において入力部１９から終了の指示が与えられない場合や、続行の指示が与えられた場合（no）には、ステップＳ４２に戻る。
【００６５】
以上のようにして、本発明に係る携帯端末動的画像表示システムの第二の形態では、リソースの少ない携帯端末１０においても、対象物体を滑らかに動的表示させることが可能となる。もちろん上記の説明は一例に過ぎないため、適宜に変更や改良を行っても構わない。
【００６６】
例えば、携帯端末１０が拡大画像要求部を備えた構成としてもよい。本発明の携帯端末動的画像表示システムの第一の形態において説明したのと同様にして、携帯端末１０の端末ＣＰＵ１２が拡大画像要求をサーバ１に送信すると、拡大画像要求を受けたサーバ１では、所定箇所の拡大画像を生成し、次いで合成画像を生成する。この合成画像を携帯端末１０に送信することにより、携帯端末１０の表示部には拡大画像が表示される。
【００６７】
また、上記の変形例１で述べたのと同様の効果を得るために、サーバ１のＣＰＵ２が、生成する合成画像に含まれるサムネイル画像領域を複数個設ける構成としても構わない。
【００６８】
さらにまた、上記の変形例３で述べた構成と同様の効果を得るために、サーバ１のＣＰＵ２が、携帯端末１０から送信される所定の指示に基づき、又は自動的に、合成画像においてサムネイル画像を表示しない（即ち、重ね合わさない）ようにすることもできる。
【００６９】
なお、本発明に係る携帯端末動的画像表示システムの第二の形態では、上述したように、サーバ１から送信されて受信した合成画像を次々と全て表示する（逐一書き換える）ようにしてもよいが、より携帯端末１０にかかる負荷を少なくし、より高速に動的表示することを可能とするために、合成画像表示部４１が、サーバから連続的に送信された複数の合成画像のうち、前後の合成画像の差分（変更箇所）を検出し、表示画面においてその変更箇所のみを描き変えるようにするのが好適である。
【００７０】
第一の形態及び第二の形態にかかわらず、本発明に係る携帯端末動的画像表示システムにおいてユーザが行った要求や操作は、サイト運営者の側からすれば、マーケティングに活用することができる貴重な情報となる。そこで、サーバ１に利用情報記憶部を設けておき、本システムを利用した携帯端末に関し、その携帯端末に送信した大画像（又は合成画像）の送信回数、拡大画像の生成領域を記憶する構成とするとよい。さらに、利用情報記憶部には、携帯端末における大画像（又は合成画像）の表示時間の表示時間等を算出して記憶することができる。
【図面の簡単な説明】
【００７１】
【図１】本発明に係る携帯端末動的画像表示システムの概略構成図。
【図２】本発明に係る携帯端末動的画像表示システムの動作例を示すフローチャート。
【図３】サムネイル画像領域においてサムネイル画像が切換表示されている状態（a)からサーバに大画像要求を行い、表示画面に大画像を表示する(b)処理を示す模式図。
【図４】サムネイル画像領域に範囲指定領域が表示されいてる状態(a)からサーバに拡大画像要求を行い、表示画面に拡大画像である大画像を表示する(b)処理を示す模式図。
【図５】表示画面に複数のサムネイル画像領域が設けられた場合の画面構成例(a)、及び携帯端末が複数の表示画面を備えた場合の画面構成例(b)を示す図。
【図６】大画像及びサムネイル画像が表示されている状態(a)からサムネイル画像を非表示とする(b)処理を示す模式図。
【図７】本発明に係る携帯端末動的画像表示システムの第二の実施形態の概略構成図。
【図８】本発明に係る携帯端末動的画像表示システムの第二の実施形態による動作例を示すフローチャート。
【符号の説明】
【００７２】
１…サーバ
２…ＣＰＵ
３…メモリ
４…記憶部
４ａ…ＯＳ
ｐｇ１…サーバ用携帯端末動的画像表示プログラム
４ｂ…プログラム配信部
４ｃ…画像記憶部
５…プログラム配信部
６…サムネイル送信部
７…大画像送信部
１０…携帯端末
１２…端末ＣＰＵ
１３…端末メモリ
１４…端末記憶部
１４ａ…端末ＯＳ
ｐｇ２…携帯端末用携帯端末動的画像表示プログラム
１５…サムネイル表示部
１６…動的表示部
１７…大画像要求部
１８…大画像表示部
１９…入力部
２０…表示画面
２１…サムネイル画像領域
２２…範囲指定領域
３１…合成画像送信部
３２…動的画像送信部
４１…合成画像表示部
４２…サムネイル動的表示要求部
【図１】
2007312240.tif 000003
【図２】
2007312240.tif 000004
【図３】
2007312240.tif 000005
【図４】
2007312240.tif 000006
【図５】
2007312240.tif 000007
【図６】
2007312240.tif 000008
【図７】
2007312240.tif 000009
【図８】
2007312240.tif 000010